(57)【要約】      （修正有）【課題】押入と天袋とをそのまま使用できる状態で、押入と天袋とを、隙間無く一度に開閉できる押入戸を提供する。【解決手段】天袋６の横幅と押入４の横幅との違いによる押入４側の梁下開口隙間８を塞ぐ隙間戸４０と、隙間戸４０によって塞がれた以外の押入開口を、天袋６と押入４とを同時に開閉自在に塞ぐ押入戸本体３０，３２とを備えることを特徴とし、梁下開口隙間８側の押入戸本体３０，３２の梁下開口隙間８側に、梁下開口隙間８の左右方向の一部を上下方向に塞ぐように突出する突出部を有し、突出部を有する押入戸本体３０，３２が押入を閉じるとき、突出部が隙間戸４０の背面側に位置することを特徴とする。【選択図】図１
0003221163.tif 000002
【実用新案登録請求の範囲】
【請求項１】
上方に天袋を有し、下方に押入を有し、該押入の横幅が該天袋の横幅に対して広い押入構造に用いる押入戸において、
該天袋の横幅と該押入の横幅との違いによる該押入側の梁下開口隙間を塞ぐ隙間戸と、
該隙間戸によって塞がれた以外の押入開口を、該天袋と該押入とを同時に開閉自在に塞ぐ押入戸本体とを備えることを特徴とする押入戸。
【請求項２】
前記押入戸本体が２枚以上の引き違い戸又は折り戸で、前記隙間戸が少なくとも１枚の引き戸であることを特徴とする請求項１記載の押入戸。
【請求項３】
前記梁下開口隙間側の前記押入戸本体の該梁下開口隙間側に、該梁下開口隙間の左右方向の一部を上下方向に塞ぐように突出する突出部を有し、
該突出部を有する押入戸本体が前記押入を閉じるとき、該突出部が該隙間戸の背面側に位置することを特徴とする請求項１又は請求項２記載の押入戸。
【考案の詳細な説明】
【技術分野】
【０００１】
本考案は、上方に天袋を有し、下方に押入を有し、押入の横幅が天袋の横幅に対して広い押入構造に用いる押入戸に関する。
【背景技術】
【０００２】
従来より、上方に天袋を有し、下方に押入を有し、押入の横幅が天袋の横幅に対して広い押入構造が、家屋には存在する。この押入構造としては、例えば、図５の従来の押入構造を示す説明図に示すようなものである。
【０００３】
図５の従来の押入構造３は、上方に天袋６を有し、下方に押入４を有し、押入４の横幅が天袋６の横幅に対して広いつくりになっている。
【０００４】
従来の押入構造３は、横長な略長方形の部分を上下にもつ枠体１０ａを基本構造とし、その下方の奥側に物品の収納部分である押入４があり、上方の奥側に物品の収納部分である天袋６がある。枠体１０ａは、一番下の家屋の床部分に横方向に伸びる敷居１６と、一番上の家屋の天井近くに横方向に伸びる横枠１８と、押入４と天袋６との間に横方向に伸びる天袋敷居２２と、敷居１６と横枠１８と天袋敷居２２とを脇で支える立枠１２，１４で構成されて枠構造となっている。
【０００５】
尚、敷居１６の上面には、押入戸本体６０，６２が遊嵌されて摺動するための溝１６ａ，１６ｂが穿設され、横枠１８の下面には、天袋戸６４，６６が遊嵌されて摺動するための溝１８ａ，１８ｂが穿設され、天袋敷居２２の下面には、押入戸本体６０，６２が遊嵌されて摺動するための溝２２ａ，２２ｂが穿設され、天袋敷居２２の上面には、天袋戸６４，６６が遊嵌されて摺動するための溝が穿設されている。そして、押入戸本体６０が、敷居１６の溝１６ａ及び天袋敷居２２の溝２２ａに遊嵌されて配置され、押入戸本体６２が、敷居１６の溝１６ｂ及び天袋敷居２２の溝２２ｂに遊嵌されて配置され、押入戸本体６０及び押入戸本体６２により、押入４が開閉自在となっている。また、天袋戸６４が、天袋敷居２２の溝及び横枠の溝１８ａ及びに遊嵌されて配置され、天袋戸６６が、天袋敷居２２の溝及び横枠１８の溝１８ｂ及びに遊嵌されて配置され、天袋戸６４及び天袋戸６６により、天袋６が開閉自在となっている。
【０００６】
以上のような従来の押入構造３では、天袋６と押入４との幅の差である梁下開口隙間８ができていることになるが、この梁下開口隙間８は、天袋６の脇の押入４の上部に、建物の構造上の梁や配管用のスペース等を設ける必要から生じる幅の差である。尚、このような従来の押入構造の施工方法の例としては、特許文献１に示されているようなものがある。
【先行技術文献】
【特許文献】
【０００７】
【特許文献１】特開２００１−８１９５６号公報
【考案の概要】
【考案が解決しようとする課題】
【０００８】
しかしながら、近年、従来の図５に示す押入構造３では、古めかしい等の理由から、リフォームする人が増えている。リフォームの内容としては、押入４と天袋６とを、一度に開閉できる１組の戸で開閉できるようにするものである。しかしながら、従来の押入構造３で１組の戸で開閉できるようにしようとしても、梁下開口隙間８があって容易にリフォームできないという問題がある。
【０００９】
本考案は、このような事情に鑑みてなされたもので、押入と天袋とをそのまま使用できる状態で、押入と天袋とを、隙間無く一度に開閉できる押入戸を提供することにある。
【課題を解決するための手段】
【００１０】
請求項１記載の押入戸は、天袋の横幅と押入の横幅との違いによる押入側の梁下開口隙間を塞ぐ隙間戸と、隙間戸によって塞がれた以外の押入開口を、天袋と押入とを同時に開閉自在に塞ぐ押入戸本体とを備えることを特徴とする。
【００１１】
請求項２記載の押入戸は、押入戸本体が２枚以上の引き違い戸又は折り戸で、隙間戸が少なくとも１枚の引き戸であることを特徴とする。
【００１２】
請求項３記載の押入戸は、梁下開口隙間側の押入戸本体の梁下開口隙間側に、梁下開口隙間の左右方向の一部を上下方向に塞ぐように突出する突出部を有し、突出部を有する押入戸本体が押入を閉じるとき、突出部が隙間戸の背面側に位置することを特徴とする。
【考案の効果】
【００１３】
本考案によれば、押入と天袋とをそのまま使用できる状態で、押入と天袋とを、隙間無く一度に開閉することができる。
【図面の簡単な説明】
【００１４】
【図１】本考案に係る押入戸の第１の実施例を示す説明図である。
【図２】同押入戸の使用状態を示す図１のＡ−Ａ線矢視断面の説明図である。
【図３】本考案に係る押入戸の第２の実施例を示す説明図である。
【図４】同押入戸の使用状態を示す図３のＢ−Ｂ線矢視断面の説明図である。
【図５】従来の押入構造を示す説明図である。
【考案を実施するための形態】
【００１５】
本考案における押入戸は、家屋には存在する、上方に天袋を有し、下方に押入を有し、押入の横幅が天袋の横幅に対して広い押入構造に関するものである。そして、従来の図５に示す押入構造３をリフォームして、押入４と天袋６とを、一度に開閉できる１組の戸で開閉できるようにするものである。尚、図１は、本考案に係る押入戸の第１の実施例を示す説明図である。図２は、同押入戸の使用状態を示す図１のＡ−Ａ線矢視断面の説明図である。図３は、本考案に係る押入戸の第２の実施例を示す説明図である。図４は、同押入戸の使用状態を示す図３のＢ−Ｂ線矢視断面の説明図である。
【００１６】
まず、リフォームの手順を説明すると、図５の押入構造３の押入戸本体６０，６２及び天袋戸６４，６６を取り外す。そして、天袋敷居２２の梁下開口隙間８の上の部分を残し、それ以外の除去部２２ｃを取り除くようにし、横枠２０とする。これにより、図１の押入構造１で示すように、上述の図５の従来の押入構造３の枠体１０ａの構造を基本骨格として、敷居１６と横枠１８、溝１６ａと溝１８ａ及び溝１６ｂと溝１８ｂがそれぞれ上下で直接対向する枠体１０の構造となる。尚、図３の押入構造２の押入戸本体５２以外は、図１の押入構造１と同様である。
【実施例１】
【００１７】
上述のリフォームを行った形態での図１及び図２に示す押入構造１について説明する。実施例１の押入構造１の枠体１０は、上述の通りで、押入戸としては、隙間戸４０と２枚で一組の押入戸本体３０，３２を備えている。
【００１８】
隙間戸４０は、天袋６の横幅と押入４の横幅との違いによる押入側の梁下開口隙間８を塞ぐものである。図１の例では、隙間戸４０は、１枚の戸で構成しているが、梁下開口隙間８が塞がれる大きさと材質の物であれば良く、基本的には板状である。隙間戸４０は、
引き戸状の構造で、敷居１６の溝１６ａ及び横枠２０の溝２０ａに遊嵌されて配置され（図２参照）、また、立枠１４に密接されることで、梁下開口隙間８を塞ぐことになる。
【００１９】
２枚の押入戸本体３０，３２は、隙間戸４０によって塞がれた以外の押入開口を、天袋６と押入４とを同時に開閉自在に塞ぐものである。押入戸本体３０，３２は、引き違い戸状で、押入戸本体３０が、敷居１６の溝１６ａ及び横枠１８の溝１８ａに遊嵌されて配置され（図２参照）、また、押入戸本体３２が、敷居１６の溝１６ｂ及び横枠１８の溝１８ｂに遊嵌されて配置され（図２参照）、押入４と天袋６とを同時に塞ぐことが可能となる。尚、押入戸本体３０，３２の構造や枚数は任意で、例えば、折り戸状であってもよい。
【００２０】
このような押入戸によれば、押入４と天袋６とをそのまま使用できる状態で、押入４と天袋６とを、隙間無く一度に開閉できる。
【実施例２】
【００２１】
さらに、上述のリフォームを行った形態での図３及び図４に示す押入構造２について説明する。尚、図３及び図４に示す枠体１０及び隙間戸４０は、実施例１と同様なので、説明を省略する。
【００２２】
２枚の押入戸本体５０，５２は、隙間戸４０によって塞がれた以外の押入開口を、天袋６と押入４とを同時に開閉自在に塞ぐものである。押入戸本体５０，５２は、引き違い戸状で、押入戸本体５０が、敷居１６の溝１６ａ及び横枠１８の溝１８ａに遊嵌されて配置され（図４参照）、また、押入戸本体５２が、敷居１６の溝１６ｂ及び横枠１８の溝１８ｂに遊嵌されて配置され（図４参照）、押入４と天袋６とを同時に塞ぐことが可能となる。尚、押入戸本体５０，５２の構造や枚数は任意で、例えば、折り戸状であってもよい。
【００２３】
尚、梁下開口隙間８側に位置する押入戸本体５２の梁下開口隙間８側に、梁下開口隙間８の左右方向の一部を上下方向に塞ぐように突出する突出部５４を有している。そして、図４に示すように、突出部５４を有する押入戸本体５２が押入４を閉じるとき、突出部５４が隙間戸４０の背面側に位置することになる。
【００２４】
押入戸本体５２の梁下開口隙間８側に突出部５４を有することで、枠体１０が歪んでいるような場合であっても、押入４及び天袋６とをしっかりと塞ぐことができることになる。
【００２５】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２６】
本考案により、押入と天袋とをそのまま使用できる状態で、押入と天袋とを、隙間無く一度に開閉できる押入戸を提供することができる。
【符号の説明】
【００２７】
１・・・・・押入構造
２・・・・・押入構造
３・・・・・押入構造
４・・・・・押入
６・・・・・天袋
８・・・・・梁下開口隙間
１０・・・・枠体
１０ａ・・・枠体
１２・・・・立枠
１４・・・・立枠
１６・・・・敷居
１６ａ・・・溝
１６ｂ・・・溝
１８・・・・横枠
１８ａ・・・溝
１８ｂ・・・溝
２０・・・・横枠
２０ａ・・・溝
２２・・・・天袋敷居
２２ａ・・・溝
２２ｂ・・・溝
２２ｃ・・・除去部
３０・・・・押入戸本体
３２・・・・押入戸本体
４０・・・・隙間戸
５０・・・・押入戸本体
５２・・・・押入戸本体
５４・・・・突出部
６０・・・・押入戸本体
６２・・・・押入戸本体
６４・・・・天袋戸
６６・・・・天袋戸
【図１】
0003221163.tif 000003
【図２】
0003221163.tif 000004
【図３】
0003221163.tif 000005
【図４】
0003221163.tif 000006
【図５】
0003221163.tif 000007